(57)【特許請求の範囲】
【請求項１】
核燃料のキャニスタを、このキャニスタを輸送する輸送コンテナ（４）と、このキャニスタを貯蔵する貯蔵装置（６）との間で移送する移送装置（２）であって、
前記輸送コンテナ（４）は、キャニスタを入れる円柱状の空所（１０）と、輸送プラグ（１２）により封止され、キャニスタを装填／取り外しするための開口とを有しており、前記貯蔵装置（６）は、前記キャニスタを入れる少なくとも１つのハウジング（１４、１６、１８）と、貯蔵プラグ（２４、２６、２８）により封止され、前記キャニスタを装填／取り外しするための開口とを有しており、
前記移送装置は、
長手状の本体と、
この本体内で、当該本体の長手軸線（Ｙ）であって、前記輸送コンテナ（４）と、前記移送装置（２）と、前記貯蔵装置（６）とが整列する短手方向に直交する長手軸線（Ｙ）に沿って摺動しうるようになっている長手軸線の摺動体（３４）と、
前記輸送コンテナ（４）の空所（１０）に面するようにした開口（３１）及び前記貯蔵装置（６）のハウジング（１４、１６、１８）に面するようにした開口（３３）と
を具えており、
この摺動体（３４）は、前記長手軸線（Ｙ）に沿って、
前記輸送プラグ（１２）及び前記貯蔵プラグ（２４、２６、２８）を引き抜くための少なくとも１つの第１の区画室（Ｃ１）と、
キャニスタを前記輸送コンテナ（４）から前記貯蔵装置（６）に、及びその逆に移すための第２の区画室（Ｃ３）と
を有しており、
前記移送装置は更に、前記開口（３１、３３）の各々を連続的に囲む、第１の封止部（３５）及び第２の封止部（３７）を有する封止手段を具え、
前記第１の区画室（Ｃ１）は、
前記短手方向に沿った軸路と、
当該軸路内に組み立てられた第１及び第２の引き抜き手段（３６、３８）であって、当該第１の区画室（Ｃ１）と、前記空所（１０）と、前記ハウジング（１４、１６、１８）とが前記短手方向に沿って整列されると、前記第１の引き抜き手段（３６）が前記輸送プラグ（１２）を引き抜き、前記第２の引き抜き手段（３８）が前記貯蔵プラグ（２４、２６、２８）を引き抜く第１及び第２の引き抜き手段（３６、３８）と
を有する
移送装置。
【請求項２】
請求項１に記載の移送装置において、この移送装置が更に、前記第１の区画室（Ｃ１）と前記第２の区画室（Ｃ３）との間に中間の区画室（Ｃ２）を有し、この中間の区画室は通路を有しており、この通路内では、前記貯蔵装置（６）内であり、前記貯蔵プラグ（２４、２６、２８）よりも奥に入れられている生物学的保護キャップ（５４、５６、５８）を引き抜き、前記生物学的保護キャップ（５４、５６、５８）を前記通路内に貯蔵する引き抜き手段（５０）が組み立てられている移送装置。
【請求項３】
請求項１又は２に記載の移送装置において、前記第１及び第２の引き抜き手段（３６、３８）は前記通路内で摺動的に組み立てられた差し込み型又は緊締型であり、前記プラグ（１２、２４、２６、２８）は引き抜きの間前記通路内に貯蔵されるようになっている移送装置。
【請求項４】
請求項３に記載の移送装置において、
前記第１の区画室（Ｃ１）は、前記輸送コンテナ（４）側の室（４６）と前記貯蔵装置（６）側の室（４８）との２つの室（４６、４８）を有し、前記第１の引き抜き手段（３６）及び前記第２の引き抜き手段（３８）は、前記室（４６）及び前記室（４８）にそれぞれ組み立てられている
移送装置。
【請求項５】
請求項１〜４のいずれか一項に記載の移送装置において、前記第２の区画室（Ｃ３）は、キャニスタの直径よりも大きな直径の通路を有し、キャニスタをこの通路を介して前記輸送コンテナ（４）と前記貯蔵装置（６）との間で移送しうるようになっており、前記通路の直径は前記輸送コンテナ（４）の空所（１０）の直径及び前記貯蔵装置（６）のハウジング（１４、１６、１８）の直径にほぼ等しい移送装置。
【請求項６】
請求項１〜５のいずれか一項に記載の移送装置において、この移送装置の前記本体は、密閉された内部空間を規定するジャケット（２３）を有し、この内部空間内で前記摺動体（３４）が摺動しうるようになっており、前記ジャケット（２３）は、前記短手方向に垂直な端板（２７、３０）を有し、これらの端板には、前記開口（３１）及び前記開口（３３）がそれぞれ設けられており、前記第１及び第２の封止部（３５、３７）は、膨らませ可能な封止部であり、前記端板（２７、３０）と一体であり、前記封止部（３５、３７）は、前記輸送コンテナ（４）の一方の端面及び前記貯蔵装置（６）の一方の端面とそれぞれ接触するようになっている移送装置。
【請求項７】
請求項６に記載の移送装置において、前記端板（２７、３０）は、メインテナンスを可能にするための取り外し可能なパネル（２７．１、３０．１）を有し、これらのパネル（２７．１、３０．１）は、前記ジャケットの封止を達成するために密封的に組み立てられている移送装置。
【請求項８】
請求項１〜７のいずれか一項に記載の移送装置において、前記摺動体（３４）は、電動機により移動させられるようになっている移送装置。
【請求項９】
請求項３に記載の移送装置において、前記第１及び第２の引き抜き手段（３６、３８）は圧縮空気により動作させられるようになっている移送装置。
【請求項１０】
請求項１乃至９のいずれか一項に記載の移送装置により、核燃料キャニスタを輸送コンテナと貯蔵装置との間で移送させる移送方法であって、この移送方法が、
ａ）前記移送装置を、前記輸送コンテナ及び貯蔵装置と整列させる工程と、
ｂ）前記摺動体を移動させることにより、この摺動体の第１の区画室を、前記輸送コンテナの空所及び前記貯蔵装置のハウジングと整列させる工程と、
ｃ）輸送プラグ及び貯蔵プラグを除去する工程と、
ｄ）前記摺動体を移動させることにより、前記第２の区画室を、前記輸送コンテナの空所及び前記貯蔵装置の前記ハウジングと整列させる工程と、
ｅ）前記核燃料キャニスタを前記貯蔵装置と前記輸送コンテナとの間で摺動させる工程と
を具えている移送方法。
【請求項１１】
請求項１０に記載の移送方法において、この移送方法が、
ｃ’）前記摺動体を移動させることにより、中間の区画室を、前記輸送コンテナの空所及び前記貯蔵装置の前記ハウジングと整列させる工程と、
ｃ”）前記ハウジング内に収容されたキャップを前記貯蔵プラグから離れるように引き抜く工程と
を具える移送方法。
【請求項１２】
請求項１０又は１１に記載の移送方法において、この移送方法が、
前記工程ａ）後に、前記移送装置に設けられた封止部であって、前記輸送コンテナ及び前記貯蔵装置と接触する当該封止部を膨らませて、この移送装置と、前記輸送コンテナ及び前記貯蔵装置との間の封止接触を確実にする工程
を具える移送方法。
【請求項１３】
請求項１０〜１２のいずれか一項に記載の移送方法において、この移送方法が、
前記工程ａ）中に、前記移送装置を前記貯蔵装置及び前記輸送コンテナへ取り付ける工程
を具える移送方法。
【発明の詳細な説明】
【技術分野】
【０００１】
本発明は、核燃料を、特に使用済み核燃料で満たされたキャニスタを、輸送コンテナと貯蔵装置との間で移送する装置に関するものである。
【背景技術】
【０００２】
原子炉内で使用された後の照射済燃料の管理に応じ、この燃料は、再処理用の貯蔵又は長期間の貯蔵としうる最終的な排出を待つ間で貯蔵装置に退避させる前に、プール内に保存して、冷却する必要がある。
【０００３】
燃料棒の形態としうる照射済燃料は、第１の生物学的障壁を構成する密閉キャニスタ内に貯蔵される。
【０００４】
これらのキャニスタは後に、輸送コンテナで、燃料を冷却しうる貯蔵ハウジングを有する貯蔵個所に輸送すべきものである。
【０００５】
輸送コンテナから貯蔵装置への、又はその逆の貯蔵装置から輸送コンテナへのこのようなキャニスタの移送は、米国特許第 4,780,269号明細書に記載されており既知である。しかし、この米国特許明細書では、コンテナと貯蔵装置との間には、外部環境、特にこの移送を実行する職員を放射から保護する生物学的障壁が設けられていない。実際には、職員を最大限安全にするために、キャニスタにより形成される保護に加えた生物学的保護を実行するのが好ましい。
【０００６】
遮蔽空間を連結する密閉可能な装置もフランス国特許第 1,395,783号明細書及び英国特許第 2,336,409号明細書に記載されており既知であるが、これらの明細書には、如何にして遮蔽空間の蓋を取り外しうるか及び外部環境から分離させうるかが開示されていない。
【先行技術文献】
【特許文献】
【０００７】
【特許文献１】米国特許第 4,780,269号明細書
【特許文献２】フランス国特許第 1,395,783号明細書
【特許文献３】英国特許第 2,336,409号明細書
【発明の概要】
【発明が解決しようとする課題】
【０００８】
従って、本発明の目的は、核燃料キャニスタを輸送コンテナと貯蔵装置との間で移送させ、核燃料と外部環境との間に連続的な生物学的障壁を形成する装置を提供することにある。
【課題を解決するための手段】
【０００９】
上述した目的は、本体を具え、キャップを、一方では輸送コンテナから、他方では貯蔵装置から引き抜くとともに、核燃料キャニスタを輸送コンテナ及び貯蔵装置間で移送する機能を実行しうる多機能摺動体を前記本体内に移動自在に組み込んだ装置により達成される。
【００１０】
換言すれば、移送装置が大きい寸法の滑り弁を形成し、この滑り弁の少なくとも１つの個所で輸送コンテナ及び貯蔵装置を開放させることができ、この滑り弁の他の個所で核燃料キャニスタを輸送コンテナから貯蔵装置へ、且つその逆に移送しうるようにする。
【００１１】
従って、外部環境は決して核燃料キャニスタや、貯蔵装置の内部や、輸送コンテナの内部と接触せず、輸送装置は、核燃料キャニスタの閉じ込めを確実にするとともに汚染の漏洩を制限する。
【００１２】
移送装置はそれ自体で生物学的な保護を達成する。この移送装置は更に、核燃料キャニスタの閉じ込めを破損させることなく、貯蔵装置の装填及び取り外し処理を実行しうるようにする封止装置を有する。
【００１３】
本発明による移送装置は、核燃料キャニスタの閉じ込めを破壊せず、追加の生物学的保護を必要とせず、直接的な人間の介在をせずに、輸送コンテナ及び貯蔵装置を開放させうる。
【００１４】
本発明による移送装置によれば、特に有利なことに、装填及び取り外しを戸外で行うことができる。すなわち、これらの操作を限定された密閉空間内で実行する必要がなく、移送装置は輸送コンテナ及び貯蔵装置と一緒に、核燃料キャニスタの必要且つ充分な閉じ込めを確実に行う。
【００１５】
更に、この移送装置は、運搬可能であり、従って、貯蔵ユニットの全てのハウジングの装填に用いられるという利点がある。更に、このことにより貯蔵費用を低減させる。
【００１６】
本発明の対象は特に、核燃料キャニスタを、この核燃料キャニスタを輸送するコンテナと、この核燃料キャニスタを貯蔵する貯蔵装置との間で移送する移送装置であり、前記コンテナは、核燃料キャニスタを収容する円柱状の空所と、核燃料キャニスタの装填／取り外しを行うための輸送プラグにより封止される開口とを有し、前記貯蔵装置は、前記核燃料キャニスタを収容する少なくとも１つのハウジングと、核燃料キャニスタの装填／取り外しを行うための貯蔵プラグにより封止される開口とを有し、前記移送装置は、本体と、この本体内でその長手軸線に沿って摺動しうるようになっている長手軸線の摺動体とを具えており、この摺動体は、輸送コンテナからプラグを引き抜くとともに貯蔵装置からプラグを引き抜くための少なくとも１つの第１の区画室と、キャニスタを輸送コンテナから貯蔵装置に、及びその逆に移すための第２の区画室とを有しており、前記移送装置は更に、輸送コンテナ及び移送装置間での移送と、移相装置及び貯蔵装置間での移送とを封じる手段を具えている。
【００１７】
特に有利な例では、本発明による移送装置が更に、前記第１の区画室と前記第２の区画室との間に中間の区画室を有し、この中間の区画室は通路を有しており、この通路内では、前記貯蔵プラグの後方で前記貯蔵装置内に入れられている生物学的保護キャップを引き抜き、前記生物学的保護キャップを前記通路内に貯蔵する引き抜き手段が組み立てられているようにする。
【００１８】
前記第１の区画室は軸路を有し、この軸路内で、前記輸送コンテナからプラグを引き抜く第１の引き抜き手段と、前記貯蔵装置からプラグを引き抜く第２の引き抜き手段とが組み立てられており、これら引き抜き手段は前記通路内で摺動的に組み立てられた差し込み型又は緊締型であり、前記プラグは引き抜きの間前記通路内に貯蔵されるようにすることができる。
【００１９】
一例では、前記第１の引き抜き手段と、前記第２の引き抜き手段とが頭‐尾関係で組み立てられているとともに、２つの室内に互いに分離されて組み立てられており、これによりコンパクトな摺動体を形成するとともに、プラグ間での汚染の移動を回避しうるようにする。
【００２０】
前記第２の区画室は、キャニスタの直径よりも大きな直径の通路を有し、キャニスタをこの通路を介して前記輸送コンテナと前記貯蔵装置との間で移送しうるようになっており、前記通路の直径は前記輸送コンテナの空所の直径及び前記貯蔵装置のハウジングの直径にほぼ等しくし、これによりキャニスタの移送中にこのキャニスタへの衝撃を制限しうるようにしうる。
【００２１】
移送装置の前記本体は、密閉された内部空間を規定するジャケットを有し、この内部空間内で前記摺動体が摺動しうるようになっており、前記ジャケットは横方向端板を有し、これらの横方向端板には、前記輸送コンテナの空所に面するようにした開口及び前記貯蔵装置のハウジングに面するようにした開口がそれぞれ設けられており、移送を封じる前記手段は、前記横方向端板と一体であり、前記開口の各々を連続的に囲む、膨らませ可能な第１の封止部及び第２の封止部を有し、これら封止部は、前記輸送コンテナの一方の端面及び前記貯蔵装置の一方の端面とそれぞれ接触するようにしうる。
【００２２】
前記横方向端板は、メインテナンスを可能にするための取り外し可能なパネルを有し、これらのパネルは、前記ジャケットの封止を達成するために密封的に組み立てられているようにするのが有利である。
【００２３】
前記摺動体は、例えば、電動機により移動させられるようにする。
【００２４】
前記引き抜き手段は、例えば、圧縮空気により動作させられるようにし、これによりオイルによる汚染を回避しうるようにする。
【００２５】
本発明の更なる対象は、輸送コンテナ及び貯蔵装置からプラグを引き抜くための少なくとも１つの第１の区画室と、核燃料キャニスタ及び封止手段を、移送装置と輸送コンテナ及び貯蔵装置との間で移すための第２の区画室とが設けられた摺動体を具える移送装置により、核燃料キャニスタを輸送コンテナと貯蔵装置との間で移送させる移送方法であって、この移送方法が、
ａ）前記移送装置を、前記輸送コンテナ及び貯蔵装置と整列させる工程と、
ｂ）前記摺動体を移動させることにより、この摺動体の第１の区画室を、前記輸送コンテナの空所及び前記貯蔵装置のハウジングと整列させる工程と、
ｃ）輸送プラグ及び貯蔵プラグを除去する工程と、
ｄ）前記摺動体を移動させることにより、前記第２の区画室を、前記輸送コンテナの空所及び前記貯蔵装置の前記ハウジングと整列させる工程と、
ｅ）前記核燃料キャニスタを前記貯蔵装置と前記輸送コンテナとの間で摺動させる工程と
を具えている移送方法である。
【００２６】
本発明による移送方法は、
ｃ’）前記摺動体を移動させることにより、中間の区画室を、前記輸送コンテナの空所及び前記貯蔵装置の前記ハウジングと整列させる工程と、
ｃ”）前記ハウジング内に収容されたキャップを前記貯蔵プラグから離れるように引き抜く工程と
を具えるようにするのが有利である。
【００２７】
本発明による移送方法は、前記移送装置に設けられた封止部であって、前記輸送コンテナ及び前記貯蔵装置と接触する当該封止部を膨らませて、この移送装置と、前記輸送コンテナ及び前記貯蔵装置との間の封止接触を確実にする工程をも有するようにしうる。
【００２８】
前記工程ａ）中に、前記移送装置を前記貯蔵装置及び前記輸送コンテナへ取り付けるようにもしうる。
【図面の簡単な説明】
【００２９】
【図１】図１は、本発明による移送装置を第１の位置で示す縦断面図である。
【図２】図２は、図１の移送装置を第２の位置で示す縦断面図である。
【図３】図３は、図１の移送装置を第３の位置で示す縦断面図である。
【発明を実施するための形態】
【００３０】
図１は、本発明による移送装置２の一実施例を、輸送コンテナの開放状態で示す。
【００３１】
本発明による移送装置は、輸送コンテナ４と貯蔵装置６との間に挿入させるためのものである。
【００３２】
輸送コンテナ４は、軸線Ｘ１０の、キャニスタを入れるための円柱状の空所１０が設けられた本体８を有している。円柱状の空所１０は、第１の端部（図示せず）と長手方向の第２の端部１０．１とで円筒状の本体のそれぞれの側から外部に導出している。第２の端部１０．１は、第１の端部（図示せず）と同様に、取り外し可能なプラグ１２により封止されている。
【００３３】
貯蔵装置６は、互いに平行な軸線Ｘ１４、Ｘ１６、Ｘ１８の円筒状のハウジング１４、１６、１８が形成された本体１１を有している。これらハウジング１４、１６、１８の各々は貯蔵装置６の前面２０に開口しており、プラグ２４、２６、２８によりそれぞれ封止されている。３つのハウジングを有するこの貯蔵装置は一例であり、貯蔵装置は３つよりも多い又は少ないハウジングを有することができ、これらのハウジングは水平方向及び垂直方向の双方又は何れか一方に配置することができる。
【００３４】
移送装置２は、軸線Ｘ１０、Ｘ１４、Ｘ１６、Ｘ１８に対し直交するようにした長手方向の軸線Ｙの本体を有する。
【００３５】
この本体は、長手方向の端部におけるパネルより成る壁部２６と、前面の横方向端板２７及び後面の横方向端板３０とにより形成された密閉ジャケット２３を有する。
【００３６】
壁部２６のパネルは、長手方向の端部での封止を確実にするために、例えば溶接する。
【００３７】
図示の例の横方向端板２７及び３０は、移送装置２のメインテナンスを可能にするために取り外し可能なパネルを有する。これらのパネルの密閉可能なアセンブリは、例えば、Ｏリング封止（図示せず）により達成しうる。
【００３８】
ジャケット２３は密閉空所３２を画成し、この空所内で摺動体３４が軸線Ｙに沿って摺動的に組み立てられている。
【００３９】
従って、この摺動体３４は、決して外部環境と接触することはない。
【００４０】
この摺動体３４は３つの区画室Ｃ１、Ｃ２、Ｃ３を有し、これら区画室はそれぞれ軸線ＸＣ１、ＸＣ２、ＸＣ３の円柱状の通路２５、２７、２９を有する。軸線ＸＣ１、ＸＣ２、ＸＣ３は互いに平行であり、軸線Ｙに対し直交している。
【００４１】
移送装置は、その前面の横方向端板２７及び後面の横方向端板３０上に、輸送コンテナ４の長手方向の端面と接触させるための、膨らませ可能な封止部３５及び３７を有するようにするのが有利である。
【００４２】
移送装置と、輸送コンテナ及び貯蔵装置との間の封止を達成しうる他の手段も適しており、この手段は、例えば、Ｏリング封止部材又は可撓性の套管とすることができる。
【００４３】
封止部３５及び３７は、例えば、空所１０の開口端部１０．１及びハウジング１４、１６、１８の開口端部の周囲にそれぞれ接するように円形にする。従って、これら封止部３５及び３７は、連続封止を達成する。
【００４４】
前面の横方向端板２７及び後面の横方向端板３０は、それぞれ、プラグ１２及び２４、２６、２８を通すための直径とした開口３１及び３３を有し、これら開口３１及び３３は、軸線Ｙに対し直交する軸線に沿って整列されている。
【００４５】
区画室Ｃ１は、輸送コンテナ４からの封止用のプラグ１２の引き抜きを可能にする手段３６と、ハウジング１４、１６、１８からの貯蔵プラグ２４、２６、２８の引き抜きを可能にする手段３８とを有する。
【００４６】
これらの引き抜き手段３６及び３８は互いに同様にして形成する為、引き抜き手段３６のみを詳細に説明する。
【００４７】
引き抜き手段３６は、軸線ＸＣ１に沿って移動しうるジャッキ４０を有し、このジャッキ４０には、輸送コンテナ４のプラグ１２に対する取り付け手段４２が設けられている。これらの取り付け手段４２は、例えば、差し込み（バイオネット）型又は緊締（クランプ）型とする。ジャッキ４０の一方の自由端は、例えば、プラグ１２の外側面１２．１上の対応するピンと回転により協同しうる少なくとも１本のピンを有する。ジャッキ４０は、Ｆ１で示す方向に移動して、プラグ１２を押圧する。
【００４８】
ジャッキ４０がプラグ１２を取り付けた場合、このジャッキを矢印Ｆ２に沿って逆方向に摺動させて、プラグ１２を空所１０の端部から引き抜き空所１０を自由にアクセスようにすることができる。
【００４９】
ジャッキ４０は気圧ジャッキとし、その圧縮空気は、後に説明するナセルから送給するようにするのが有利である。ジャッキの移動は電気的に行うことも考えられる。
【００５０】
通路２５の内径は、少なくともプラグ１２、２４、２６、２８の外形に等しくし、これらプラグ１２、２４、２６、２８を区画室Ｃ１内に格納しうるようにする。
【００５１】
引き抜き手段３８は、ジャッキ４０に対して対称的に頭‐尾結合され、軸線ＸＣ１に対し直交する平面Ｐに関し対称的に動作するジャッキ４３を有する。従って、ジャッキ４３は矢印Ｆ２の方向に移動することにより、プラグ２４、２６、２８を押圧し、矢印Ｆ１の方向に移動することにより、プラグを引き抜いてハウジング１４、１６、１８をアクセスしうるようにする。
【００５２】
又、引き抜き手段３６及び引き抜き手段３８を互いに分離する壁部４４を設けて、互いに密封的に分離した２つの室４６及び４８を区画するようにするのが有利である。このようにすることにより、プラグ１２が受ける汚染がプラグ１４、１６、１８に移されるのを、又はその逆の汚染の移しが回避される。
【００５３】
プラグ１２の引き抜きと、貯蔵装置のプラグの１つの引き抜きとは、順次に又は同時に行うことができる。
【００５４】
従って、区画室Ｃ１は、輸送コンテナ及び貯蔵装置からのプラグの引き抜き及び輸送コンテナ及び貯蔵装置へのプラグの格納を達成しうる。
【００５５】
区画室Ｃ２は、追加の生物学的障壁を形成するために、ハウジング１４、１６、１８内に組み込まれたキャップ５４、５６、５８をプラグ２４、２６、２８の後方に引き抜く引き抜き手段５０を有している。
【００５６】
この引き抜き手段５０も、軸線ＸＣ２に沿って移動しうるジャッキ５２を有し、このジャッキはその一方の自由端でキャップ５４、５６、５８の外側面に当接（係合）しうる。
【００５７】
取り付け手段は、例えば、差し込み型又は緊締型とすることができる。
【００５８】
区画室Ｃ２の通路２７の内径は、生物学的保護キャップ５４、５６、５８の外径にほぼ等しくし、このキャップを区画室Ｃ２内に組み込みうるようにする。
【００５９】
従って、区画室Ｃ２は、生物学的保護キャップ５４、５６、５８を貯蔵装置のハウジング及びその格納状態から引き抜くことができる。
【００６０】
輸送コンテナが、貯蔵装置のキャップ５４、５６、５８と同じ又は同様なキャップを有する場合には、区画室Ｃ１の手段と同様な手段を設けることもできる。
【００６１】
区画室Ｃ３は空の円柱状通路を有し、キャニスタを輸送装置の空所１０から貯蔵装置のハウジング１４、１６、１８に摺動させるものである。
【００６２】
通路２９の内径は、キャニスタを衝突なく移動させるために、空所１０及びハウジング１４、１６、１８の内径にほぼ等しくする。従って、空所１０の軸線Ｘ１０と、区画室Ｃ３の軸線ＸＣ３と、軸線Ｘ１４又はＸ１６又はＸ１８とが整列されると、空所１０と、通路２９と、ハウジング１４、１６、１８とが、ほぼ連続する円筒状の壁部を有する通路を形成する。従って、衝突のおそれが最少となる。
【００６３】
摺動体３４は、電気モータ及びラックシステムにより移動させるのが有利である。空気モータも採用しうる。
【００６４】
本発明によれば、キャニスタを移送するための密封通路を形成し、プラグ及び生物学的保護キャップの封じ込めを達成し、外部環境とのいかなるつながりも回避するようにすることにより、生物学的障壁の連続性が完全に達成される。
【００６５】
本発明によれば、当業者にとって周知の、圧力上昇型の手段により、膨らませ可能な封止部３５及び３７と、輸送コンテナ及び貯蔵装置との間の接触部の封止状態を検査する。封じることになっている、膨らませ可能な封止部により画成された領域を真空にし、圧力を検査する。圧力が増大すると接触部が封止されておらず、整備が必要となる。
【００６６】
更に、組み立てに際しての、本体の端板の組み立て封止も検査する。
【００６７】
本発明による移送装置は、例えばナセル（図示せず）で組み立てることを目的とするものであり、このナセルで輸送コンテナ４を、空所１０の軸線Ｘ１０が移送装置の前面の端板２７に開けた開口３１の軸線と整列されるように、この前面の端板２７と接触させる。
【００６８】
従って、移送装置２と転送コンテナ４とは互いに不動状態にある。
【００６９】
転送コンテナ４と移送装置２との間のいかなる移動をも回避するために、これらの間に、取り外し可能な結合手段（図示せず）を設けるのが有利である。
【００７０】
移送装置２の後面の端板に形成した開口の軸線を、貯蔵装置６のハウジング１４、１６、１８のそれぞれの軸線Ｘ１４、Ｘ１６、Ｘ１８と整列させるために、ナセルをその一部に対し水平方向及び垂直方向に移動しうるようにする。貯蔵装置と移送装置との間にも取り外し可能な結合手段（図示せず）を設けて、これらの間のいかなる移動をも回避するようにするのが有利である。
【００７１】
本発明による移送装置の動作を以下に説明する。キャニスタをハウジング１４内に貯蔵することを望む場合を考慮するが、本発明はこれに限定されるものではない。
【００７２】
移送装置２は、キャニスタの移送処理中に貯蔵装置６に固定するのが有利である。更に、移送装置はナセルにより支持する。このことを達成するために、後面の端板３０を貯蔵装置６の前面に対し平行に配置して、膨らませ可能な封止部３７が貯蔵装置６の前面と接触するまで、ナセルを貯蔵装置６の方向に移動させる。封止部３７を膨らませる前に、後面の開口３３の軸線をハウジング１４の軸線と整列させる。
【００７３】
キャニスタが装填された輸送コンテナはナセルのプラットホーム上に配置し、空所１０の軸線Ｘ１０と前面の開口３１の軸線とを整列させる。この目的のために、ナセルのプラットホーム上に案内手段を設けることができる。輸送コンテナは、貯蔵装置に対接させる前にナセル上に配置することができる。
【００７４】
輸送コンテナ４の端面を前面の端板２７に充分に接近させて配置し、この前面の端板２７に設けられた、膨らませ可能な封止部３５を、輸送コンテナ４の端面と接触させ、前面の開口３１を囲む封止領域を形成する。封止部３５の膨らませは、輸送コンテナ４が適所に配置された後に実行する。
【００７５】
次に、摺動体３４を軸線Ｙに沿って移動させ、区画室Ｃ１の軸線ＸＣ１を前面の開口３１及び後面の開口３３の軸線と整列させる。
【００７６】
プラグを引き抜く手段３６及び３８を順次に又は同時に動作させて、図１に示すようにプラグ１２及び２４を引き抜く。
【００７７】
次に、摺動体３４を、軸線ＸＣ２が軸線Ｘ１４と整列されるまで軸線Ｙに沿って上方に移動させる。次に、引き抜き手段を動作させ、生物学的保護キャップを引き抜くとともに図２に示すように通路２７内に貯蔵する。
【００７８】
摺動体３４を再び上方に移動させ、軸線ＸＣ３を軸線Ｘ１０及びＸ１４と整列させる。次に、例えば、キャニスタを押すジャッキによりこのキャニスタを摺動させて、このキャニスタを空所１０からハウジング１４に移動させる。ハウジング１４及び通路２９を通りキャニスタに取り付けられた牽引手段を用いることもできる。
【００７９】
キャニスタがハウジング１４内に配置されると、生物学的保護キャップを、次にプラグを上述したのと逆方向で適所に押し戻す工程を実行する。
【００８０】
他のハウジング１６及び１８に対しても上述したのと同じ動作手順を実行する。
【００８１】
ハウジング１４、１６、１８からキャニスタを引き抜くためには、区画室Ｃ３が空所１０及び関連のハウジングと整列された際にキャニスタを貯蔵装置のハウジングから転送コンテナに移送することを除いて、上述したのと同じ手順を用いる。
【００８２】
この移送処理の終了時に、移送装置が貯蔵装置から分離されて、ナセルが釈放される。
【００８３】
移送装置内には制御手段が設けられており、これらの制御手段は例えば、カメラ型の目に見える種類のものとして、ジャッキの位置やプラグ及び生物学的保護キャップの除去状態を検査しうるようにするのが有利である。
【００８４】
摺動体３４の制御は、処理の終了を確認した後に、この摺動体３４の摺動を命令するオペレータにより行われる。
【００８５】
同様に、プラグ及びキャップの引き抜きや、キャニスタの移送を管理するのもオペレータである。
【００８６】
又、種々の工程を自動的に連続させることもできる。
【００８７】
生物学的保護キャップ５４、５６、５８が設けられていないか、又は異なる方法で除去しうるようになっている場合には、２つのみの区画室、すなわち、プラグを輸送コンテナから引き抜くとともに、プラグを貯蔵装置のハウジングから引き抜くための区画室と、キャニスタを移送するための区画室とを有する移送装置も、本発明の範囲内に入るものである。
【００８８】
プラグ１２の引き抜きと、プラグ２４、２６、２８の引き抜きとを２つの別々の区画室内で行う移送装置も本発明の範囲内である。
【００８９】
区画室を３つよりも多くした移送装置や、他の機能を達成する区画室を有する移送装置も本発明の範囲内である。
【００９０】
本発明による移送装置により、貯蔵装置と輸送コンテナとの間でキャニスタを移送する方法は、
‐  空所１０及び装着又は取り外しすべき貯蔵装置のハウジング１４を移送装置の開口３１及び３３と整列させる工程と、
‐  区画室Ｃ１を空所１０及びハウジング１４と整列させる工程と、
‐  プラグ１２及び２４を除去する工程と、
‐  ハウジング１４がキャップ５４を有する場合には、区画室Ｃ２を空所１０及びハウジング１４と整列させる工程と、
‐  必要に応じキャップ５４を除去する工程と、
‐  区画室Ｃ３を空所１０及びハウジング１４と整列させ、キャニスタを空所１０からハウジング１４に、又はハウジング１４から空所１０に移す工程と
を有する。
【００９１】
最初の工程後、移送装置を貯蔵装置及び輸送コンテナ上に固定させることができる。
【００９２】
従って、本発明によれば、キャニスタ内に入れた核燃料を輸送コンテナと貯蔵装置との間で安全に移送しうるようにする装置が得られる。
【図１】
0005658877.tif 000002
【図２】
0005658877.tif 000003
【図３】
0005658877.tif 000004